(57)【要約】      （修正有）【課題】ゴルフクラブ保護用開閉ホルダーが内在したゴルフクラブ保護カバーを提供する。【解決手段】ゴルフクラブのシャフトが収められるように半円形の断面をもって延長され、半円形の一端部にはヒンジ固定部が設けられて互いにヒンジ固定され、前記ヒンジ固定部には閉鎖する方向に付勢するコイルばね２が設置された一対の開閉板１１、１１’からなる本体部１を含み、前記本体部１の一対の開閉板１１、１１’のうち一方の開閉板１１’の上部に固定され且つ前記開閉板１１のロックおよびロック解除作動を行わせるロック部３が設けられる。【選択図】図６ｂ
2014117602.tif 000002
【特許請求の範囲】
【請求項１】
ゴルフクラブ保護カバーが開閉されてゴルフクラブが収められるようにゴルフクラブ保護カバーの内部に設置され、開閉作動する一対の開閉板からなる本体部と、前記一対の開閉板の開き作動が行われるように付勢するばねと、前記開閉板のうちの一方の開閉板に設置され、前記開閉板同士をロック作動させるロック部とを含んでなる、ゴルフクラブ保護用開閉ホルダーが内在したゴルフクラブ保護カバーにおいて、
前記ゴルフクラブ保護用開閉ホルダーの前記本体部は、一対の断面半円形の開閉板の一側のヒンジ固定側面が互いに連接されてコイルばねによって付勢されており、開閉板の自由端の側面には帯状フレームに連結される連結突起が突設されており、
前記一方の開閉板の自由端の側面にはロック部が設置され、他方の開閉板の自由端には前記ロック部によって作動する被係止部が係止されるように係止部が設置されたことを特徴とする、ゴルフクラブ保護用開閉ホルダーが内在したゴルフクラブ保護カバー。
【請求項２】
前記ロック部が設置される前記一方の開閉板の自由端の側面には、下方に深く折り曲げられて上部に空間部を有する屈曲部が両端部に形成され且つ中央にくるほど上方に膨らみ出した中央部を有する屈伸部が設けられたことを特徴とする、請求項１に記載のゴルフクラブ保護用開閉ホルダーが内在したゴルフクラブ保護カバー。
【請求項３】
前記開閉板の一側面には、前記他方の開閉板の自由端に設けられた係止部に係止される係止突起を端部に有する被係止部が固定されたことを特徴とする、  請求項２に記載のゴルフクラブ保護用開閉ホルダーが内在したゴルフクラブ保護カバー。
【請求項４】
前記本体部のヒンジ固定軸に内径を介して軸が連結されるように設置され、開閉板を付勢するばねは、コイルばねであることを特徴とする、  請求項１に記載のゴルフクラブ保護用開閉ホルダーが内在したゴルフクラブ保護カバー。
【請求項５】
前記屈伸部の中央部の上部には押圧棒が突設され、
前記押圧棒の上端には、押圧棒に固定される固定部と、押圧ボタンとを有するロック部が固定されることを特徴とする、  請求項２に記載のゴルフクラブ保護用開閉ホルダーが内在したゴルフクラブ保護カバー。
【請求項６】
前記本体部は、保護カバー内に設置された帯状フレームが固定手段によって結合することを特徴とする、  請求項１に記載のゴルフクラブ保護用開閉ホルダーが内在したゴルフクラブ保護カバー。
【請求項７】
前記ロック部に移動可能に固定され、前記保護カバーの開閉部上に係止して止ロック状態を一時的に維持するロック片を含むことを特徴とする、  請求項１または５に記載のゴルフクラブ保護用開閉ホルダーが内在したゴルフクラブ保護カバー。
【請求項８】
前記ロック部は、一方の開閉板の自由端の側面に着脱可能に設置され、前記開閉板の中間部に接して突設された押圧棒の上端に固定された固定部を下部に有し、固定部の上部にはボタン型の押圧ボタンが設けられ、
前記ロック片は、中間に横方向に設けられたスライド溝を有し、前記ロック部の固定部に横方向にスライド可能に嵌められて固定されることを特徴とする、  請求項７に記載のゴルフクラブ保護用開閉ホルダーが内在したゴルフクラブ保護カバー。
【請求項９】
前記ロック部は、一方の開閉板の自由端の側面に着脱可能に設置され、前記開閉板の中間部に接して突設された押圧棒の上端に固定された固定部を下部に有し、固定部の上部にはボタン型の押圧ボタンが設けられ、
前記ロック片は、前記ロック部の押圧ボタンの下面にヒンジ軸によって回動可能にヒンジ固定されたことを特徴とする、請求項７に記載のゴルフクラブ保護用開閉ホルダーが内在したゴルフクラブ保護カバー。
【発明の詳細な説明】
【技術分野】
【０００１】
本発明は、ゴルフクラブ保護用開閉ホルダーが内在したゴルフクラブ保護カバーに係り、さらに具体的には、開閉作動する本体部と、この本体部の作動によってゴルフクラブ保護カバーを開閉作動させる帯状フレームとが別々に設けられるので、製造が容易で製造コストが低く、各ゴルフクラブの形態に合わせて製造できるので、様々な形態に製造が可能であって使用が便利であり、ロック部を作動させる屈伸部が本体部に設けられてロック部が本体部に取り付けられるので、作動が優れるうえ、作業工程が短縮されて安価に製造することができ、本体部の開閉作動がコイルばねで行われるので、円滑な作動が保障され、製造工程が単純化され且つばねの価格が低く、保護カバーが開かれないように強制的にロック作動するロック片が設けられ、ロック片作動の際には開かれなくなるので、運搬または移送中に保護カバー同士がぶつかり合い、保護カバーを開閉作動させる押圧ボタンにぶつかっても、保護カバーの開かれることが防止されて安全に使用できる、ゴルフクラブ保護用開閉ホルダーが内在したゴルフ保護カバーに関する。
【背景技術】
【０００２】
一般に、ゴルフクラブ用保護カバーは、様々な形態が提案されている。このようなゴルフクラブ用保護カバーは、布から出来ており、ゴルフクラブＧのヘッドに覆い被せるのが殆どである。この種の保護カバーＨは、図１に示すように、ゴルフクラブＧのヘッドＧ２とシャフトＧ１の上側部を共に覆い被せ得るように柄状に成形され、ゴルフクラブのヘッドＧ２とシャフトＧ１の挿入を容易にするために長手方向に切開されており、この切開部にスライドファスナーＺが取り付けられた構成となっており、保護カバーＨに取り付けられたスライドファスナーＺを開放した後、ゴルフクラブＧを挿入し、さらにスライドファスナーＺを閉じると、ゴルフクラブのヘッドＧ２とシャフトＧ１の上側を保護することが可能な構造であるが、このような保護カバーＨは使用時毎に両手を使ってスライドファスナーＺを開いたり閉じたりしなければならないため、煩わしくて不便である。
【０００３】
このような不便を解消するために、図２に示すように、本出願人の米国特許第６，２０２，７２３号は、保護カバーＨ’を折り曲げて開閉させる方式を提案したが、カバー自体の弾性力のみを利用するので、弾性復元力が弱く、開閉作動がスムーズではない。このような保護カバー上に保護布を被せるなどして保護カバーの厚さが厚くなると、保護カバーの作動がさらにスムーズにならないうえ、保護カバーの開閉の際に、保護カバーを開閉するためには保護カバーを折り曲げなければならないが、このような折曲作動がスムーズではないため、片手による開閉作動が極めて難しい。また、ゴルフクラブを挿入するために保護カバーを開いたとき、保護カバーの中心のヒンジ部が山の如く盛り上がるので、ゴルフクラブを入れることが不便であり、このような突出により、収納の際にゴルフクラブが一方に偏る現象が発生するなど、使用上不便な点があった。
【０００４】
また、図３に示すように、米国特許第６，１１９，７４２号では、ヒンジ部が設けられ、ヒンジピンによってヒンジ固定された一対の保護カバーＨから構成され、保護カバーを開くと、保護カバーの中心のヒンジ部が山の如く盛り上がるので、ゴルフグラブを入れる時に不便であり、このような突出により、収納の際にゴルフクラブが一方に偏る現象が発生するなど、使用上不便な点があった。さらに、ゴルフクラブヘッドが収められる部分が上面部Ｆ１、側面部Ｆ２および底面部Ｆ３からなり、モールド成形による射出製品として製造されるので、各製造会社毎にクラブヘッドの大きさが異なり、その大きさの違いが相当であって、このような射出製品は互換性がないため、使用の際に不便であり、いろいろなモデルが必要となって様々な形態の金型が製造されなければならないなどの不都合があり、使用が便利ではないという問題点もあった。
【０００５】
かかる問題点を解決するために、本出願人は、韓国登録特許第１０−０９５８５２６で、図４に示すように、ゴルフクラブヘッドを覆うためのヘッド保護用頭部が形成され、シャフトを覆い被せる柄部が下方に延長された、織物地からなる保護カバー体ｈ１と、前記保護カバー体内に挿着され、縦方向に延長された開閉用ヒンジ溝が設けられ、前記ヒンジ溝を中心として開閉作動する開閉翼ｈ２と、前記開閉翼の縦方向の中間に設けられ、前記開閉翼を開閉作動させるＵ型開閉作動バーｈ３と、前記開閉翼の上下に設けられ、前記開閉翼を閉鎖させる方向に付勢する弾性手段ｈ４とを備えてなる、開閉フレームを含むゴルフクラブ用ヘッドカバー（Ｈ”）を提案したことがある。このような特許では、弾性手段として、ばね鋼から出来た硬鋼線を特殊な形状に製作して使用するので、製造コストが高いのはもとより、硬鋼線の固定が非常に難しく、開閉翼が一定の角度で傾くように設けられるので手の小さい子供や女性には握ることが不便であったうえ、開かれる部分が閉鎖のときにも少しずつ広げられて商品的価値が低下して製品化が難しく、且つゴルフクラグによって異なる形態に合わせるのが非常に難しいという問題点があった。さらに、上記の特許では、ロック部ｈ５が保護カバーｈ１の外側面上に設けられるので、ロック部の取り付けには様々な工程が必要となって作業に著しく高い費用がかかり、収支打算を合わせることができないという問題点があった。
【０００６】
かかる問題点を解決するために、図５に示すように、開閉翼ｈ２の作動のために板ばねｈ６を使用した。ところが、板ばねｈ６は、製造コストが高く、変形が生ずると再使用が不可能となって使用が不便である。このように板ばねｈ６を使用する場合には、開閉翼ｈ２内および板ばねｈ６上への穿孔作業は非常に難しく且つ長時間がかかるので、製造時間が遅延し、特に使用の際には板ばねと開閉翼との摩擦により騒音が発生して使用が忌避されるという問題点があった。
【先行技術文献】
【特許文献】
【０００７】
【特許文献１】韓国登録特許第１０−０９５８５２６号
【発明の概要】
【発明が解決しようとする課題】
【０００８】
本発明は、上述したような従来の諸般問題点を解決するためのもので、その目的は、本体部と、この本体部の作動によってゴルフクラブ保護カバーを開閉作動させる帯状フレームが別々に設けられるので、製造が容易で製造コストが低く、前記帯状フレームは各ゴルフクラブの形態に合わせて保護カバーの形状に変化を与えながら製造できるので、様々な形態に製造が可能である、ゴルフクラブ保護用開閉ホルダーが内在したゴルフクラブ保護カバーを提供することにある。
【０００９】
本発明の他の目的は、本体部内にロック部を設けることにより、ロック部を別に製作して本体にさらに付着させなくてもよいので、製造工程が短縮され、作動がスムーズであり且つ誤作動または誤差がなく、これにより製造コストを低めることができる、ゴルフクラブ保護用開閉ホルダーが内在したゴルフクラブ保護カバーを提供することにある。
【００１０】
本発明の別の目的は、本体部を構成する一対の開閉板をコイルばねで可動させるので、製造コストが低く且つ製造が容易である、ゴルフクラブ保護用開閉ホルダーが内在したゴルフクラブ保護カバーを提供することにある。
【００１１】
本発明の別の目的は、近接して横にあるゴルフクラブのヘッドまたはアイアンが、保護カバーを開閉作動させる押圧ボタンにぶつかっても、運搬または移動中には保護カバーが開かれずに閉状態を維持することができる、ゴルフクラブ保護用開閉ホルダーが内在したゴルフクラブ保護カバーを提供することにある。
【課題を解決するための手段】
【００１２】
上記目的は、ゴルフクラブのシャフトが収められるように半円形の断面をもって延長され、半円形の一端部にはヒンジ固定部が設けられて互いにヒンジ固定され、且つ前記ヒンジ固定部には付勢力を加えるコイルばねが設置された一対の開閉板からなる本体部を含む、本発明に係るゴルフクラブ保護用開閉ホルダーが内在したゴルフクラブ保護カバーによって達成される。
【００１３】
上記目的は、前記本体部の一対の開閉板の上部に固定され、前記開閉板の開閉作動に連動して作動する一対の帯状フレームを含む、本発明に係るゴルフクラブ保護用開閉ホルダーが内在したゴルフクラブ保護カバーによって達成される。
【００１４】
上記目的は、コイルばねが設置された一対の開閉板からなる本体部を含み、前記本体部の一対の開閉板のうち一方の開閉板の上部に固定され、前記開閉板同士のロックおよびロック解除作動を行わせるロック部をさらに含む、本発明に係るゴルフクラブ保護用開閉ホルダーが内在したゴルフクラブ保護カバーによって達成される。
【００１５】
上記目的は、開閉作動する一対の開閉板からなり且つ前記一対の開閉板に付勢するコイルばねが固定された本体部を内部に設置することにより、開閉作動する保護カバーと、前記保護カバーの内部に設置された一方の開閉板に設けられ、前記開閉板をロック作動させ、前記保護カバーの開閉部に近接して設置され、外部に露出し、前記保護カバーを開閉作動させるように作動する押圧ボタンと、前記押圧ボタンに移動可能に固定され、前記保護カバーの開閉部上に係止してロック状態を一時的に維持するロック片とを含んでなる、本発明に係るロック片が備えられたゴルフクラブ保護カバーによって達成される。
【発明の効果】
【００１６】
本発明に係るゴルフクラブ保護用開閉ホルダーが内在したゴルフクラブ保護カバーは、ゴルフクラブのシャフトが収められるように半円形の断面をもって延長され、半円形の一端部にはヒンジ固定部が設けられて互いにヒンジ固定され、且つ前記ヒンジ固定部には閉鎖する方向に付勢するコイルばねが設置された一対の開閉板からなる本体部を含み、前記本体部の一対の開閉板のうち一方の開閉板の上部に固定され且つ前記開閉板のロックおよびロック解除作動を行わせるロック部が設けられるので、製造工程が短縮されて製造作業が簡単で製造人力が節減され、ウッド、アイアン、パターなどの様々な形状を有する各ゴルフクラブの形態に合わせてカバー本体に組み立てられるように適切な形状を有する帯状フレームが製造されるので、様々な形態への製造が可能となって使用が便利であり、コイルばねが使用されるので、製造コストが低くなり且つ確実な作動が可能となるという優れる効果がある。
【００１７】
本発明に係るゴルフクラブ保護用開閉ホルダーが内在したゴルフクラブ保護カバーは、前記保護カバーの開閉部に近接して設置され、外部に露出し、前記保護カバーを開閉作動させるように作動する押圧ボタン上に移動可能に固定され、前記保護カバーの開閉部上に係止してロック状態を一時的に維持するロック片を備えることにより、近接して横にあるゴルフグラブのヘッドまたはアイアンが、保護カバーを開閉作動させる押圧ボタンに間違ってぶつかっても、運搬または移動中には保護カバーが開かれずに閉状態を維持することができて使用が便利であるという優れる効果がある。
【図面の簡単な説明】
【００１８】
【図１】従来のゴルフクラブ用保護カバーの斜視図である。
【図２】従来の他のゴルフクラブ用保護カバーの斜視図である。
【図３】従来の別のゴルフクラブ用保護カバーの斜視図である。
【図４】従来のさらに別のゴルフクラブ用保護カバー内に設置されるホルダーフレームの斜視図である。
【図５】従来の板ばねが使用された開閉翼の概略斜視図である。
【図６ａ】本発明の第１実施例に係るゴルフクラブ保護用開閉ホルダーの斜視図および分解斜視図である。
【図６ｂ】本発明の第１実施例に係るゴルフクラブ保護用開閉ホルダーの斜視図および分解斜視図である。
【図７】本発明の第１実施例に係るゴルフクラブ保護用開閉ホルダーのロック部が設置された一方の開閉板の縦断面図である。
【図８ａ】本発明の第１実施例に係るゴルフクラブ保護用開閉ホルダーのＩ−Ｉ線に沿った、保護カバーが設置された状態のロック状態の横断面図および開放状態の横断面図である。
【図８ｂ】本発明の第１実施例に係るゴルフクラブ保護用開閉ホルダーのＩ−Ｉ線に沿った、保護カバーが設置された状態のロック状態の横断面図および開放状態の横断面図である。
【図９】本発明の第１実施例に係るゴルフクラブ保護用開閉ホルダーの帯状フレームの斜視図である。
【図１０】本発明の第１実施例に係るゴルフクラブ保護用開閉ホルダーの帯状フレームに結合した一方の開閉板の概略縦断面図である。
【図１１】本発明の第２実施例に係るゴルフクラブ保護カバーの開放状態の斜視図である。
【図１２】本発明の第２実施例に係るゴルフクラブ保護カバーの閉鎖状態の斜視図である。
【図１３ａ】本発明の第２実施例に係るゴルフクラブ保護カバーの閉鎖および開放状態の正面図である。
【図１３ｂ】本発明の第２実施例に係るゴルフクラブ保護カバーの閉鎖および開放状態の正面図である。
【図１４】本発明の第３実施例に係るゴルフクラブ保護カバーの閉鎖状態の斜視図である。
【図１５ａ】本発明の第３実施例に係るゴルフクラブ保護カバーの閉鎖および開放状態の正面図である。
【図１５ｂ】本発明の第３実施例に係るゴルフクラブ保護カバーの閉鎖および開放状態の正面図である。
【発明を実施するための形態】
【００１９】
本発明の第１実施例に係るゴルフクラブ保護用開閉ホルダーＡは、図６ａ、図６ｂおよび図７に示すように、ゴルフクラブ保護カバーＨが開閉されてゴルフクラブＧが収められるようにゴルフクラブ保護カバーＨの内部に設置されている。
【００２０】
前記ゴルフクラブ保護用開閉ホルダーＡは、開閉作動する一対の開閉板１１、１１’からなる本体部１と、前記一対の開閉板１１、１１’の開き作動が行われるように付勢するコイルばね２と、前記開閉板１１、１１’のうちの一方の開閉板１１’に設置され、前記開閉板同士１１、１１’をロック作動させるロック部３とを含んでなる。
【００２１】
図６ｂに示すように、前記本体部１は、一対の断面半円形の開閉板１１、１１’の一側のヒンジ固定側面が互いに連接されてコイルばね２によって開かれるように付勢されており、開閉板１１、１１’の自由端の側面には帯状フレーム４に連結される連結突起１１１が突設されている。前記一方の開閉板１１’の自由端の側面にはロック部３と被係止部１１４が設けられ、他方の開閉板１１の自由端には前記ロック部３によって作動する被係止部１１４が係止されるように係止部１１２が設けられている。前記開閉板１１、１１’の一側のヒンジ固定側面は、ヒンジ軸１１５ａとヒンジ孔１１５ｂからなるヒンジ部１１５によってヒンジ結合されて開閉作動する構造である。前記コイルばね２は、ヒンジ軸１１５ａが挿入されて固定されるので、その設置が極めて容易に行われる。
【００２２】
前記ロック部３が設けられる前記一方の開閉板１１’の自由端の側面には、図７に示すように、両端部には下方に深く折り曲げられて上部に空間部Ｖを形成する屈曲部１１３ａが設けられ、中央にくるほど上方に膨らみ出した中央部１１３ｂを有する屈伸部１１３が設けられる。屈伸部１１３は全体的な形態が帯状フレーム４の底面方向から凸状に湾曲した形状を持つように形成されている。前記屈伸部１１３の上部の中間には、前記ロック部３が固定される押圧棒１１３ｃが突設されている。
【００２３】
前記屈伸部１１３の一側面には、前記他方の開閉板１１の自由板に形成された係止部１１２に係止される係止突起１１４ａを端部に有する被係止部１１４が他方の開閉板１１の方向に突出するように設けられている（図６ｂに示す）。
【００２４】
前記本体部１のヒンジ固定側面に固定されて開閉板１１が開放されるように付勢するコイルばね２は、安価に製造されるコイルばねが使用される。よって、コイルばね２は、容易に購入が可能になって製造コストが低く、多数回の反復使用にも拘わらず故障なしに使用されるので、耐久性が長くなる。本実施例では、前記コイルばね２が開放するように作動すると記述しているが、開閉板１１を閉鎖させる方向に付勢する構造が使用されることも可能である。
【００２５】
前記ロック部３は、一方の開閉板１１’の自由端の側面に着脱可能に設置され、前記開閉板１１’の屈伸部１１３の中央部１１３ｂに接して突設された押圧棒１１３ｃの上端に固定された固定部３１を有する押圧ボタン３２からなっている。
【００２６】
本実施例において、前記帯状フレーム４は、ウッドを入れるための一対の湾曲帯状フレーム４ａ、４ｂからなり、前記一方の帯状フレーム４ａには貫通孔４１、挿入孔４２および締結孔４３が設けられており、前記他方の湾曲ラウンド型帯状フレーム４ｂには挿入孔４２および締結孔４３が設けられているので、図７に示すように、保護カバーＨが中間に介在されて前記開閉板１１が結合し、固定ネジ５によって確実に開閉板１１、保護カバーＨ、帯状フレーム４が一体に固定される。
【００２７】
本実施例では、帯状フレーム４として、ゴルフクラブを保護するための適切な形態を有する湾曲ラウンド型帯状フレーム４ａ、４ｂが提案されている。ところが、図９に示すように、アイアンまたはパターを収納するために、上部が突出するようにラウンド形状を有する突出ラウンド型帯状フレーム４ｃ、或いはハンマー型帯状フレーム４ｄが提案されることも可能である。よって、このように帯状フレーム４が様々な形態に形成されるので、帯状フレーム４の様々な形態により、多様な種類のゴルフクラブに対応する保護カバーの形態を容易に製造することができる。
【００２８】
このような帯状フレーム４は、図１０に示すように、開閉板１１、１１’の自由端の側面に突設された連結突起１１１に嵌合されるように、一方の帯状フレームには挿入孔４２が設けられており、帯状フレーム４が保護カバーＨによって取り囲まれ、他の織物製の保護カバーＨ１が本体部１を取り囲んで固定され、連結突起１１１に挿入孔４２が嵌合され、締結孔４３を介して固定ネジ５によって固定されることにより、確実に開閉板１１、保護カバーＨおよび帯状フレーム４が一体に固定される。
【００２９】
次に、このような構成を持つ本発明に係るゴルフクラブ保護用開閉ホルダーＡの作動について詳細に説明する。まず、本対部１の一方の開閉板１１’上にロック部３を一体型に製作するので、従来の本体部と別に製造されたロック部を保護カバー上に設置する工程が省略されるので、開閉板１１、１１’が保護カバーＨ内で帯状フレーム４と結合し、このような状態でロック部３が結合すると、すなわち、ロック部３の固定部３１が屈伸部１１３の押圧棒１１３ｃに固定されると、ロック部３の設置が完成するので、保護カバーＨに別にロック部３を設置するために裁着または固定作業が省略され、ゴルフクラブ保護用開閉ホルダーＡの製造が極めて便利になる。
【００３０】
本体部１の一対の開閉板１１は、コイルばね２で付勢されることにより開閉板１１への設置が完了するので、故障なしに使用されるから、長期間の使用が可能となり、製造人力が節減されて製造コストが低くなる。
【００３１】
このような本発明に係るゴルフクラブ保護用開閉ホルダーＡは、図８ａに示すように、閉状態のゴルフクラブ保護用開閉ホルダーＡを開放させようとする場合、ロック部３の押圧ボタン３２を下方に押圧すると、屈伸部１１３の押圧棒１１３ｃが力を受けて下方に移動しながら、膨らみ出した状態の屈伸部１１３の中央部１１３ｂが下方に下降して屈曲部１１３ａとほぼ水平状態に位置すると、屈伸部１１３の一側面に連結された被係止部１１４も下降しながら他方の開閉板１１の係止部１１２に係止された係止突起１１４ａが解除されてコイルばね２の付勢力により開放作動する（図８ａに二点鎖線で示す）。よって、前記屈伸部１１３がロック部３によって押圧されることにより、閉状態の本体部１が開きながら保護カバーＨが開かれるので、保護カバーは、図８ｂに示した状態で開放される。この際、ゴルフクラブＧのヘッドが挿入される保護カバーＨの上端が、内側に固定された帯状フレーム４の上端に形成された湾曲部によって本体部１より広く広げられながら開放されるので、ドライバーのように大きいヘッドを有するゴルフクラブＧの挿入も容易になる。
【００３２】
このような屈伸部１１３は、両端部には空間部Ｖを有するように屈曲部１１３ａが設けられ、中央部１１３ｂは空間部Ｖを有しないように帯状フレーム４の底面に接する程度に密着する形状に形成されることにより、故障なしに長期的に使用できる構造を持つ。このようなロック部３を本体部１に設置することにより、ゴルフクラブ保護用開閉ホルダーＡを簡便かつ安価に製造することができる。
【００３３】
本発明の第２実施例に係るゴルフクラブ保護カバーＨは、図１１および図１２に示すように、開閉作動する一対の開閉板１１、１１’からなり且つ前記一対の開閉板１１、１１’の開き作動が行われるように付勢するコイルばね２が固定された本体部１を内部に設置することにより、開閉作動する保護カバーＨと、前記保護カバーＨの内部に設置された一方の開閉板１１’に設けられ、前記開閉板同士１１、１１’をロック作動させ、前記保護カバーＨの開閉部Ｈ２に近接して設置され、外部に露出し、前記保護カバーＨを開閉作動させるように作動するロック部３と、前記ロック部３に移動可能に固定され、前記保護カバーＨの開閉部Ｈ２上に係止してロック状態を一時的に維持するロック片６とを含んでなる。
【００３４】
前記ロック部３は、一方の開閉板１１’の自由端の側面に着脱可能に設置され、前記開閉板１１’の中間部に接して突設された押圧棒１１３ｃの上端に固定された固定部３１を下部に有し、固定部３１の上部にはボタン型の押圧ボタン３２が設けられている。このようなロック部３の設置方法または構造は、図６ｂに詳細に記載されているので、これについての詳細な説明を省略する。
【００３５】
本実施例において、固定部３１には中間に横方向に設けられたスライド溝６１を有するロック片６が嵌められて固定されることにより、前記ロック部３は、前記固定部３１に従って、前記ゴルフクラブ保護カバーＨの開閉部Ｈ２を横切って閉鎖（図１３ａに示す）または開放可能な位置に移動する（図１３ｂに示す）。
【００３６】
すなわち、本発明の第２実施例に係るゴルフクラブ保護カバーＨは、ゴルフクラブヘッドＧが収められて運搬されるために、ロック片６がロック部３の固定部３１に横方向に移動可能に嵌められた状態で、図１３ａに示すように、ロック片６が固定部３１に従って右側に移動すると、ゴルフクラブ保護カバーＨの開閉部Ｈ２を横切って延長されるので、ロック部３が衝撃を受けて作動してゴルフクラブ保護カバーＨが開放される力を受けるとしても、ロック片６が開閉部Ｈ２を遮っているので、絶対にゴルフクラブ保護カバーＨは開かなくなるので、閉状態で安全に運搬することができる。このように運搬された状態でゴルフクラブを使用するために、図１３ｂに示すように、ロック片６を固定部３１に従って左側に移動させると、ロック片６はゴルフクラブ保護カバーＨの一方の開閉部Ｈ１にのみ係止されているので、ロック部３を押圧すると、保護カバーＨが開かれて内部のゴルフクラブＧを取り出すことができる。
【００３７】
本発明の第３実施例に係るロック片が備えられたゴルフクラブ保護カバーＨは、図１４および図１５ａ、図１５ｂに示すように、ロック部３の押圧ボタン３２の下面にロック片６０がヒンジ軸６３によってヒンジ固定された構成以外は第２実施例と同様である。よって、図１５ａに示すように、ロック片６０の一側に設けられた摘み６２を反時計回りに押圧し、或いはロック片６０の下部を反時計回りに回すと、前記ロック片６０がヒンジ軸６３を中心として反時計回りに回動して保護カバーＨの両側の開閉部Ｈ２に係止されて保護カバーＨをロックし、或いは、図１５ｂに示すように、摘み６２を時計回りに回動させると、ロック片６０がヒンジ軸６３を中心として時計回りに回動して一方の開閉部Ｈ２にのみ係止されるので開放可能な状態となり、このような状態でロック部３を押圧すると、保護カバーＨが開かれて内部のゴルフクラブＧを取り出すことができる。
【００３８】
よって、本発明に係るゴルフクラブ保護カバーは、前記保護カバーの開閉部に近接して設置され、外部に露出し、前記保護カバーを開閉作動させるように作動する押圧ボタン上にロック片が移動可能に固定されるので、ロック片がロック位置に固定されている場合には、近接して横にあるゴルフクラブのヘッドまたはアイアンが、保護カバーを開閉作動させる押圧ボタンにぶつかっても、運搬または移動中には保護カバーが開かれずに閉状態を維持することができる。
【産業上の利用可能性】
【００３９】
本発明に係るゴルフクラブ保護用開閉ホルダーは、一般なゴルフクラブ用保護カバーを製造する産業分野で同一の製品を反復的に製造することが可能であるので、産業上の利用可能性がある。
【符号の説明】
【００４０】
１    本体部
２    ばね
３    ロック部
１１    開閉板
【図１】
2014117602.tif 000003
【図２】
2014117602.tif 000004
【図３】
2014117602.tif 000005
【図４】
2014117602.tif 000006
【図５】
2014117602.tif 000007
【図６ａ】
2014117602.tif 000008
【図６ｂ】
2014117602.tif 000009
【図７】
2014117602.tif 000010
【図８ａ】
2014117602.tif 000011
【図８ｂ】
2014117602.tif 000012
【図９】
2014117602.tif 000013
【図１０】
2014117602.tif 000014
【図１１】
2014117602.tif 000015
【図１２】
2014117602.tif 000016
【図１３ａ】
2014117602.tif 000017
【図１３ｂ】
2014117602.tif 000018
【図１４】
2014117602.tif 000019
【図１５ａ】
2014117602.tif 000020
【図１５ｂ】
2014117602.tif 000021